(57)【特許請求の範囲】
【請求項１】
ラベル基材の一方の面に接着剤層、他方の面に第１剥離層を介してスクラッチ層が設けられたキャンペーンラベルであって、前記スクラッチ層の上に、第２剥離層を介して、さらに該スクラッチ層を被覆するカバーラベルが積層されており、前記カバーラベルが、ラベル基材と、該ラベル基材の一方の面に設けられた接着剤層と、前記ラベル基材の他方の面に設けられた印刷層とで構成されている容器用キャンペーンラベル。
【請求項２】
ラベル基材の一方の面に接着剤層、他方の面に第１剥離層を介してスクラッチ層が設けられたキャンペーンラベルであって、前記スクラッチ層の上に、さらに該スクラッチ層を被覆するカバーラベルが積層されており、前記カバーラベルが、ラベル基材と、該ラベル基材の一方の面の両側部に設けられた接着剤層と、前記ラベル基材の他方の面に設けられた印刷層とで構成されており、カバーラベルを構成するラベル基材と印刷層との積層体の幅方向両側部に、カバーラベルを構成する接着剤層の形成部位よりも内方で且つスクラッチ層の形成部位よりも外方の位置に、前記幅方向と直交する方向に延びる切り取り用のミシン目が形成されている容器用キャンペーンラベル。
【請求項３】
カバーラベルの印刷層側の表面に、シリコーン系剥離剤又は透明フィルムからなる表面層が設けられている請求項１又は２に記載の容器用キャンペーンラベル。
【発明の詳細な説明】
【０００１】
【発明の属する技術分野】
本発明は、飲料用金属缶などの容器の表面に貼着される容器用キャンペーンラベルに関する。
【０００２】
【従来の技術】
商品の販売促進のために、景品等の応募券などになるキャンペーンラベルを容器に貼付した飲料やビールが販売されている。
従来のキャンペーンラベルは、ラベル基材の片面に粘着剤層を有し、他面に応募券や応募方法、キャンペーンの内容等の表示などが印刷されたタックラベルにより形成されていた。
一方、従来、くじ等の当たり外れや、ゲーム用のカード等において、表示事項を覆い隠す手法として、コイン等で削り取り可能な隠蔽層（いわゆるスクラッチ）を形成したものがあった。
【０００３】
【発明が解決しようとする課題】
しかし、前記キャンペーンラベルは多くの商品に使用されるため、商品を差別化する機能が低下し、ＰＲ効果も少なくなっていたため、このようなキャンペーンラベルに前記スクラッチ手法を用いることを検討した。ところが、キャンペーンラベルのラベル基材上に単にスクラッチ層を設けたものでは、スクラッチが表面に露出しているため、金属缶などの容器に貼付すると、該容器の生産ライン上で容器同士が擦れあったり、ラインプレッシャー（多数の容器によるコンベア上での押圧力）によりスクラッチが削れたり傷つくことがある。また、上記従来のスクラッチラベルを貼付した商品を店頭に陳列した場合、いたずらでスクラッチが削り取られるおそれもある。さらに、上記スクラッチラベルを貼付した飲料缶などを自動販売機で販売する場合、飲料缶の排出ラインでスクラッチが傷つき、削り取る楽しみが失われるケースも生じる。
【０００４】
したがって、本発明の目的は、スクラッチ手法を用いたキャンペーンラベルであって、該ラベルを貼付した容器の生産ラインや商品の流通過程においてスクラッチ層が容易に剥離することのない容器用キャンペーンラベルを提供することにある。
【０００５】
【課題を解決するための手段】
本発明者らは、前記目的を達成するため鋭意検討した結果、スクラッチ層上にスクラッチ層を被覆するカバーラベルを積層すると、例えばラベルの貼着された飲料缶同士が擦れあってもスクラッチ層が容易には剥がれ落ちないことを見いだし、本発明を完成した。
【０００６】
すなわち、本発明は、ラベル基材の一方の面に接着剤層、他方の面に第１剥離層を介してスクラッチ層が設けられたキャンペーンラベルであって、前記スクラッチ層の上に、第２剥離層を介して、さらに該スクラッチ層を被覆するカバーラベルが積層されており、前記カバーラベルが、ラベル基材と、該ラベル基材の一方の面に設けられた接着剤層と、前記ラベル基材の他方の面に設けられた印刷層とで構成されている容器用キャンペーンラベルを提供する。
本発明はさらに、ラベル基材の一方の面に接着剤層、他方の面に第１剥離層を介してスクラッチ層が設けられたキャンペーンラベルであって、前記スクラッチ層の上に、さらに該スクラッチ層を被覆するカバーラベルが積層されており、前記カバーラベルが、ラベル基材と、該ラベル基材の一方の面の両側部に設けられた接着剤層と、前記ラベル基材の他方の面に設けられた印刷層とで構成されており、カバーラベルを構成するラベル基材と印刷層との積層体の幅方向両側部に、カバーラベルを構成する接着剤層の形成部位よりも内方で且つスクラッチ層の形成部位よりも外方の位置に、前記幅方向と直交する方向に延びる切り取り用のミシン目が形成されている容器用キャンペーンラベルを提供する。
本発明はさらに、カバーラベルの印刷層側の表面に、シリコーン系剥離剤又は透明フィルムからなる表面層が設けられている請求項１又は２に記載の容器用キャンペーンラベルを提供する。
上記カバーラベルは、例えば、ラベル基材と、該ラベル基材の一方の面に設けられた接着剤層と、前記ラベルの基材の他方の面に設けられた印刷層とで構成できる。なお、本発明における前記スクラッチ層とは、コイン等で削り取り可能な被膜を意味する。
【０００７】
【発明の実施の形態】
以下、本発明を、必要に応じて図面を参照しつつ詳細に説明する。図１は本発明のキャンペーンラベルの一例の断面を模式的に示した図である。図２は本発明のキャンペーンラベルの他の例の断面を模式的に示した図である。図中、同一の部材や部分には同一の符号が付されている。
【０００８】
図１の例では、矩形状の第１ラベル基材１の一方の面に第１接着剤層２が設けられていると共に、他方の面に、第１印刷層３及び第１剥離層４を介して、中央部にスクラッチ層５が設けられており、さらに、スクラッチ層５の上に、第２剥離層６を介してカバーラベル１１が積層されている。そして、前記カバーラベル１１は、第２剥離層６側（スクラッチ層５側）から順に、第２接着剤層７、第２ラベル基材８、第２印刷層９及び表面層１０とで構成されている。
【０００９】
第１ラベル基材１及び第２ラベル基材８としては、自己支持性を有するものであればよく、例えば、紙；合成紙（例えば、ポリエステル合成紙、ポリオレフィン合成紙など）；ポリエステルフィルム（例えば、ポリエチレンテレフタレート、ポリブチレンテレフタレートなどのフィルム）、オレフィン系フィルム（例えば、ポリプロピレン、プロピレン−エチレン共重合体等のポリプロピレン系樹脂などのフィルム）、ポリスチレン系フィルムなどのプラスチックフィルム；これらの積層体などが挙げられる。前記プラスチックフィルムは、無延伸フィルム、一軸若しくは二軸延伸フィルムの何れであってもよいが、延伸フィルム、特に二軸延伸フィルムを用いる場合が多い。なお、カバーラベル１１としては、第１印刷層３のうちスクラッチ層５により隠蔽された部分の文字等の隠蔽性を向上するため、不透明な第２ラベル基材８を用いたり第２印刷層９によって着色した構成にするのが好ましい。
【００１０】
上記各ラベル基材１，８の厚みは、基材としての強度やラベルとしたときの貼付作業性などを損なわない範囲で適宜選択でき、例えば５〜２００μｍ、好ましくは２０〜１００μｍ程度である。また、ラベル基材１，８の各面には、接着性や印刷性を向上させるため、コロナ放電処理、プラズマ処理、火炎処理、酸処理などの慣用の表面処理が施されていてもよい。
【００１１】
第１接着剤層２及び第２接着剤層７を構成する接着剤としては、ラベルなどの分野で慣用の接着剤を使用することができる。好ましい接着剤には、被着体から剥離可能な接着剤、例えば、アクリル系粘着剤、ゴム系粘着剤等の慣用の感圧接着剤などが含まれる。これらの接着剤層２，７の厚みは、接着性等を考慮して適宜設定できるが、一般には５〜１００μｍ、好ましくは１０〜３０μｍ程度である。
【００１２】
第１印刷層３は、例えば「当たり」などの応募の資格があることを示す文字や記号等を施した層であり、前記第１ラベル基材１の少なくともスクラッチ層５に対応する部位に、例えば紫外線硬化型インキ（ＵＶインキ）などの公知乃至慣用のインキを用い、凸版輪転印刷等の通常の印刷法により形成できる。第１印刷層の厚みは、例えば０．５〜８μｍ、好ましくは１〜５μｍ程度である。なお、図１の例では、第１印刷層３は第１ラベル基材１の両面のうち第１接着剤層２とは反対側の面に形成されているが、第１ラベル基材１が透明フィルムである場合には、第１接着剤層２側に形成されていてもよい。
【００１３】
第１剥離層４は、スクラッチ層５のコイン等による削り取り作業を簡易化する機能を有し、第１印刷層３上（第１印刷層がラベル基材１のうち第１接着剤層２側に形成されている場合には、第１ラベル基材１上）の少なくともスクラッチ層５に対応する部位に形成される。第１剥離層４は、例えば、シリコーン系剥離剤などの公知乃至慣用の剥離剤を含むワニスなどを慣用のコーティング法で塗工することにより形成できる。第１剥離層４の厚みは、例えば０．３〜１０μｍ、好ましくは０．５〜５μｍ程度である。なお、第１剥離層４は必ずしも設けなくてもよい。
【００１４】
スクラッチ層５は、前記「当たり」などの応募資格を示す文字や記号等を隠蔽する機能を有するとともに、コイン等により削り取り可能な層である。この層は、アルミニウム粉や酸化チタンなどの隠蔽性の高い顔料をビヒクルに練り込んだ銀色インキ、濃白インキなどを慣用の印刷法（例えば、凸版印刷、平版印刷、グラビア印刷、スクリーン印刷、転写印刷など）又はコーティング法を用いて、印刷又は塗布することにより形成できる。
【００１５】
第２剥離層６は、第２接着剤層７のスクラッチ層５などに対する接着力を調整しカバーラベル１１の剥離性を向上させて、スクラッチ層５の表面を簡単に露出させる機能を有する。この層は、例えば、シリコーン系剥離剤などの公知乃至慣用の剥離剤を含むワニスなどを慣用のコーティング法を用いて、少なくともスクラッチ層５上に塗工することにより形成できる。第２剥離層６の厚みは、例えば０．３〜１０μｍ、好ましくは０．５〜５μｍ程度である。なお、第２剥離層６は、スクラッチ層５が第２接着剤層７に対して剥離性を有する場合には、必ずしも設けなくてもよい。
【００１６】
第２印刷層９は、応募券の存在を知らせるため、人の注意を引くような文字、記号、模様、色彩などを施した層であり、慣用のＵＶインキ等を用いて通常の印刷法（例えば、凸版印刷、平版印刷、グラビア印刷、スクリーン印刷など）により形成できる。第２印刷層９は、スクラッチ層５の下の文字等を確実に隠匿するため、全面に着色した層とするのが好ましい。第２印刷層９の厚みは、例えば１〜８μｍ、好ましくは２〜５μｍ程度である。なお、第２印刷層９は、第２ラベル基材８が透明フィルムである場合には、第２ラベル基材８の両面のうち第２接着剤層７側に設けてもよい。
【００１７】
表面層１０は、第２印刷層９を保護する機能の他、本発明のキャンペーンラベルを貼付した容器（例えば、金属缶など）が生産ラインで詰まりなどの工程不良を起こすのを防止する機能を有する。従って、表面層１０は滑り性及び耐磨耗性に優れた材質で構成するのが好ましく、例えば、シリコーン系剥離剤などを含む透明なワニス等を塗布（例えば、厚さ０．３〜１０μｍ、好ましくは０．５〜５μｍ）したり、例えば、ポリエステル系フィルム、ポリプロピレン系フィルム等の透明フィルム（例えば、厚さ５〜３０μｍ、好ましくは９〜２０μｍ）を積層することにより形成できる。なお、表面層１０は必ずしも設ける必要はない。
【００１８】
一方、図２に示されるキャンペーンラベルは、矩形状の第１ラベル基材１の一方の面に第１接着剤層２が設けられているとともに、他方の面の中央部分に、第１印刷層３及び第１剥離層４を介してスクラッチ層５が設けられており、さらに、スクラッチ層５の上に、カバーラベル１１が積層されている。前記カバーラベル１１は、第２ラベル基材８と、該第２ラベル基材８の一方の面（スクラッチ層５側の面）の幅方向（横方向）の両側部に設けられた第２接着剤層７と、第２ラベル基材８の他方の面に順に設けられた第２印刷層９及び表面層１０とで構成されている。そして、カバーラベル１１を構成する第２ラベル基材８と第２印刷層９と表面層１０との積層体の幅方向両側部には、前記第２接着剤層７の形成部位よりも内方で且つ前記スクラッチ層５の形成部位よりも外方の位置に、前記幅方向と直交する方向（縦方向）に延びる切り取り用のミシン目１２が形成されている。
【００１９】
この例では、カバーラベル１１は前記ミシン目１２に沿って切り取られるので、第２接着剤層７を構成する接着剤としては、第１ラベル基材１に対して強固に接着できる接着剤（例えば、エチレン酢酸ビニル系のホットメルト接着剤、アクリル系粘着剤など）を使用するのが好ましい。
【００２０】
上記図１及び図２の各キャンペーンラベルの第１接着剤層２の表面には、通常、剥離性を有するセパレータが貼り合わされており、容器に貼り付ける際には、このセパレータを剥がして使用に供される。ただし、第１接着剤層２を感熱性接着剤により形成した場合は、セパレータは不要となる。キャンペーンラベルの容器等への貼付は、慣用のラベル貼付機などを用いて行うことができる。なお、ラベルの形状、大きさは、貼付すべき容器等の種類に応じて適宜選択される。
【００２１】
上記構成のキャンペーンラベルによれば、スクラッチ層５がカバーラベル１１により被覆されているので、キャンペーンラベルが貼付された容器等の生産ラインにおいて、容器同士の接触等によりスクラッチ層が削れたり、傷ついたりすることがない。また、自動販売機で販売する場合にも、商品収納部から落下して取り出し口に達するまでの間にスクラッチ層が傷つき、削り取る楽しみが殺がれるということもない。さらに、商品を店頭に陳列した場合に、いたずらによりスクラッチ層が剥がされるおそれもない。すなわち、前記キャンペーンラベルを用いると、商品が消費者の手に渡るまでスクラッチ層が確実に保護される。
【００２２】
そして、消費者は、商品を購入した後、図１の例ではカバーラベル１１全体を剥離することにより、また図２の例ではカバーラベル１１に付されたミシン目１２に沿ってカバーラベル１１の中央部を切り取ることにより、スクラッチ層５を露出させ、そのスクラッチ層５をコイン等で削り取ることにより、スクラッチ層５によって隠蔽された文字等を読みとることができる。その後、応募要領に従い、例えば、キャンペーンラベルを容器から剥がし、第１接着剤層２の接着性を利用して葉書などに貼付し、応募することができる。
【００２３】
本発明のキャンペーンラベルは、広範な容器に適用できるが、スクラッチラベルが表面に露出している場合に特に問題が生じやすい（従って、本発明によりスクラッチ層の保護効果が著しく現れる）金属缶やボトル類、とりわけ飲料用缶等の金属缶の胴部に貼付するキャンペーンラベルとして有用である。
【００２４】
【発明の効果】
本発明のキャンペーンラベルによれば、スクラッチ層上に該スクラッチ層を被覆するカバーラベルが積層されているので、ラベルを貼付した容器等の生産ラインや流通過程においてスクラッチ層が衝撃やいたずら等により剥離するのを防止できる。
【図面の簡単な説明】
【図１】本発明のキャンペーンラベルの一例の断面を模式的に示した図である。
【図２】本発明のキャンペーンラベルの他の例の断面を模式的に示した図である。
【符号の説明】
１  第１ラベル基材
２  第１接着剤層
３  第１印刷層
４  第１剥離層
５  スクラッチ層
６  第２剥離層
７  第２接着剤層
８  第２ラベル基材
９  第２印刷層
10  表面層
11  カバーラベル
12  ミシン目
【図１】
0004247453.tif 000002
【図２】
0004247453.tif 000003